(57)【特許請求の範囲】
【請求項１】
物品が配置されたセルに関する情報を電子装置によって提供する情報提供方法であって、
少なくとも一つのトートに関する第１情報を獲得する段階と、
前記少なくとも一つのトートのそれぞれに含まれた少なくとも一部の複数の物品に関する第２情報を確認する段階と、
前記第１情報および前記第２情報に基づいて前記少なくとも一つのトートそれぞれと対応する各セルに対する情報と前記少なくとも一つのトートのそれぞれに位置した物品の情報のうち少なくとも一部をマッピングする段階と、
各セルにマッピングされた物品に関する情報に基づいて、各セルにマッピングされた物品の予想出庫時間までの残り時間を区別するための第１臨界値および第２臨界値を構成する段階と、
前記各セルにマッピングされた物品の予想出庫時間までの前記残り時間を前記第１臨界値および前記第２臨界値と比較する段階と、
比較結果に基づいて複数のセルに関する情報を提供する段階と、を含み、
前記複数のセルに関する前記情報が、予想出庫時間を過ぎた物品にマッピングされたセルの個数を含む第１セル情報と、予想出庫時間までの残り時間が前記第１臨界値未満である物品にマッピングされたセルの個数を含む第２セル情報と、予想出庫時間までの残り時間が前記第１臨界値より大きく、かつ前記第２臨界値未満である物品にマッピングされたセルの個数を含む第３セル情報と、最後の動作が実行されてから前記第２臨界値を超過する時間が経過した物品にマッピングされたセルの個数を含む第４セル情報とを含み、
前記第４セル情報が、前記第４セル情報に対応するセルにマッピングされた物品に対する最後の動作が実行された後に前記第２臨界値を超過した時間が経過したことを示す情報を含み、
前記複数のセルに関する前記情報が、出庫識別情報と、各セルにマッピングされた物品の予想出庫時間のうち予想出庫時間が差し迫る順に決定された特定の個数の物品についての予想出庫時間情報とを含む、情報提供方法。
【請求項２】
前記第２セル情報および前記第３セル情報が、異なる表現方式で提供される、請求項１に記載の情報提供方法。
【請求項３】
前記異なる表現方式は、
異なる色相のテキスト、異なるアラーム音、ちらつきの有無、異なる色相の背景のうち少なくとも一つを含む、請求項２に記載の情報提供方法。
【請求項４】
前記複数のセルに関する情報を提供する段階は、
前記第１情報が獲得された時間および前記第２情報が確認された時間のうち少なくとも一つ以降からの経過時間に関する情報を提供する段階を含む、請求項１に記載の情報提供方法。
【請求項５】
第１トートに関する情報が受信された時間後に、第３臨界値を超過して時間が経過した場合、前記第１トートの識別情報、前記第１トートにマッピングされたセルの識別情報および前記第１トートにマッピングされたセルの位置情報のうち少なくとも一つを端末に伝送する段階をさらに含む、請求項４に記載の情報提供方法。
【請求項６】
前記各セルと対応するトートの識別情報を提供する段階と、
前記トートの識別情報に対応する使用者入力に基づいて、前記トートに含まれた物品に関する情報のうち少なくとも一部を提供する段階と、をさらに含む、請求項１に記載の情報提供方法。
【請求項７】
第１セルに対応する第１トートに対する作業が完了したことを示す情報を受信する段階と、
前記第１セルと対応するトートを前記第１トートの代わりに第２トートにアップデートする段階と、をさらに含む、請求項１に記載の情報提供方法。
【請求項８】
前記複数のセルに関する情報を提供する段階は、
前記各セルにマッピングされた物品の作業処理結果に基づいて決定された前記各セルの状態情報により、前記複数のセルに関する情報を提供する段階を含む、請求項１に記載の情報提供方法。
【請求項９】
前記複数のセルに関する情報は、
作業が進行中であるセルの個数、全体のセルの個数、前記全体のセルの位置情報および前記複数のセルの作業所要時間の平均値のうち少なくとも一つを含む、請求項８に記載の情報提供方法。
【請求項１０】
前記複数のセルを含むウォール（ｗａｌｌ）に関する情報を提供する段階をさらに含み、
前記ウォールに関する情報は総ウォールの個数、前記総ウォールの位置、作業が進行中であるウォールの個数および現在可用なウォールの個数のうち少なくとも一つを含む、請求項８に記載の情報提供方法。
【請求項１１】
請求項１に記載された方法をコンピュータで実行させるためのプログラムを記録した、コンピュータ読み取り可能な非一過性の記録媒体。
【請求項１２】
物品が配置されたセルに関する情報を提供するための電子装置であって、
少なくとも一つの命令語（ｉｎｓｔｒｕｃｔｉｏｎ）を保存するメモリ（ｍｅｍｏｒｙ）と、
前記少なくとも一つの命令語を実行して、
少なくとも一つのトートに関する第１情報を獲得し、
前記少なくとも一つのトートのそれぞれに含まれた少なくとも一部の複数の物品に関する第２情報を確認し、
前記第１情報および前記第２情報に基づいて前記少なくとも一つのトートのそれぞれと対応する各セルに対する情報と前記少なくとも一つのトートのそれぞれに位置した物品の情報のうち少なくとも一部をマッピングし、
各セルにマッピングされた物品に関する情報に基づいて、各セルにマッピングされた物品の予想出庫時間までの残り時間を区別するための第１臨界値および第２臨界値を構成し、
前記各セルにマッピングされた物品の予想出庫時間までの前記残り時間を前記第１臨界値および前記第２臨界値と比較し、
比較結果に基づいて複数のセルに関する情報を提供するプロセッサ（ｐｒｏｃｅｓｓｏｒ）と、を含み、
前記複数のセルに関する前記情報が、予想出庫時間を過ぎた物品にマッピングされたセルの個数を含む第１セル情報と、予想出庫時間までの残り時間が前記第１臨界値未満である物品にマッピングされたセルの個数を含む第２セル情報と、予想出庫時間までの残り時間が前記第１臨界値より大きく、かつ前記第２臨界値未満である物品にマッピングされたセルの個数を含む第３セル情報と、最後の動作が実行されてから前記第２臨界値を超過する時間が経過した物品にマッピングされたセルの個数を含む第４セル情報とを含み、
前記第４セル情報が、前記第４セル情報に対応するセルにマッピングされた物品に対する最後の動作が実行された後に前記第２臨界値を超過した時間が経過したことを示す情報を含み、
前記複数のセルに関する前記情報が、出庫識別情報と、各セルにマッピングされた物品の予想出庫時間のうち予想出庫時間が差し迫る順に決定された特定の個数の物品についての予想出庫時間情報とを含む、電子装置。
【発明の詳細な説明】
【技術分野】
【０００１】
本開示は、物流センターで物品が位置するセルに関する情報を提供するための電子装置およびその物品関連情報提供方法に関する。
【背景技術】
【０００２】
注文時に顧客に運送されるための物品を貯蔵しこれを管理するためのシステムは、今日の経済成長においてその重要性が増大している。新製品が持続的に開発されており、消費者の購入のために多くの製品が市場にリアルタイムに発売されている。このような成長が消費者には多様な商品とサービスの選択のためにより多くの選択機会を提供するものの、ビジネス（例えば、小売店、卸売店など）にはこのように増加する物品を貯蔵し管理するのに困難がある。
【０００３】
先行文献は、作業の待機を最小化してコンテナターミナルの生産性を向上させるための高段積載システム運営方法を開示している。このように、物流分野においては物品を積載した後の作業を効率的に遂行できる方法が要求される。
【０００４】
一方、物品を貯蔵する物理的位置（例えば、フルフィルメントセンター（ｆｕｌｆｉｌｌｍｅｎｔ  ｃｅｎｔｅｒ））では作業の効率性のためにピッキング（ｐｉｃｋｉｎｇ）の単位としてバッチ（ｂａｔｃｈ）を活用することができる。この時、ピッキングの便宜を考慮して物品がバッチ別に分類されるため、ピッキング後の出庫などのプロセスを遂行する時にもバッチ単位で物品を管理することは効率性を低下させる結果を招き得る。
【０００５】
したがって、バッチに含まれた物品をピッキング後にプロセスを進行する時の便宜性を考慮して、物品に関する情報を管理する方法に関する必要性が存在する。
【先行技術文献】
【特許文献】
【０００６】
【特許文献１】韓国公開特許公報１０−２０１０−００３８９５７
【発明の概要】
【発明が解決しようとする課題】
【０００７】
開示された実施形態は電子装置およびその動作方法を開示する。本実施形態が達成しようとする技術的課題は前記のような技術的課題に限定されず、以下の実施形態からさらに他の技術的課題が類推され得る。
【課題を解決するための手段】
【０００８】
第１実施形態により、電子装置で物品が配置されたセルに関する情報提供方法は、少なくとも一つのトートに関する第１情報を獲得する段階、前記少なくとも一つのトートのそれぞれに含まれた少なくとも一部の複数の物品に関する第２情報を確認する段階、前記第１情報および前記第２情報に基づいて前記少なくとも一つのトートそれぞれと対応する各セルに対する情報と前記少なくとも一つのトートのそれぞれに位置した物品の情報のうち少なくとも一部をマッピングする段階、前記各セルにマッピングされた物品に関する情報のうち少なくとも一部を臨界値と比較する段階および前記比較結果に基づいて複数のセルに関する情報を提供する段階を含むことができる。
【０００９】
第２実施形態により、物品が配置されたセルに関する情報を提供するための電子装置は、少なくとも一つの命令語を保存するメモリと、前記少なくとも一つの命令語を実行して少なくとも一つのトートに関する第１情報を獲得し、前記少なくとも一つのトートのそれぞれに含まれた少なくとも一部の複数の物品に関する第２情報を確認し、前記第１情報および前記第２情報に基づいて前記少なくとも一つのトートのそれぞれと対応する各セルに対する情報と前記少なくとも一つのトートのそれぞれに位置した物品の情報のうち少なくとも一部をマッピングし、前記各セルにマッピングされた物品に関する情報のうち少なくとも一部を臨界値と比較し、前記比較結果に基づいて複数のセルに関する情報を提供するプロセッサと、を含むことができる。
【００１０】
第３実施形態により、コンピュータ読み取り可能な記録媒体は前述した方法をコンピュータで実行させるためのプログラムを記録した非一過性の記録媒体を含む。
【００１１】
その他の実施形態の具体的な事項は詳細な説明および図面に含まれている。
【発明の効果】
【００１２】
本開示に係る電子装置は、各セルに配置された物品に関する情報（例えば、予想出庫時間または物品の情報を受信した後の経過時間）または各セルの作業現況に関する情報を使用者に提供することによって、出庫などを含んだピッキング後のプロセスを効率的に遂行できる効果がある。
【００１３】
発明の効果は以上で言及した効果に制限されず、言及されていないさらに他の効果は特許請求の範囲の記載から当該技術分野の通常の技術者に明確に理解され得るであろう。
【図面の簡単な説明】
【００１４】
【図１】一実施形態に係る物流センターで物品の情報を提供するシステムを示す図である。
【図２】物品を貯蔵する物理的位置の一例示であるフルフィルメントセンターの概略図である。
【図３】物品が配置されたセルに関する情報を提供する第１実施形態を説明するための図面である。
【図４】物品が配置されたセルに関する情報を提供する第２実施形態を説明するための図面である。
【図５】物品が配置されたセルに関する情報を提供する第３実施形態を説明するための図面である。
【図６】トートに含まれた物品に関する情報を提供する第４実施形態を説明するための図面である。
【図７】一実施形態に係る電子装置で物品が配置されたセルに関する情報提供方法を説明するためのフローチャートである。
【図８】他の一実施形態に係る電子装置で物品が配置されたセルに関する情報提供方法を説明するためのフローチャートである。
【図９】端末が物品に関する情報を提供する一実施形態を説明するための図面である。
【図１０】一実施形態に係る電子装置のブロック図を示す。
【図１１】端末の動作方法を説明するためのフローチャートである。
【発明を実施するための形態】
【００１５】
実施形態で使われる用語は、本開示での機能を考慮しつつ、可能な限り現在広く使われる一般的な用語を選択したが、これは当分野に従事する技術者の意図または判例、新しい技術の出現などによって変わり得る。また、特定の場合には出願人が任意に選定した用語もあり、この場合、該当する説明の部分で詳細にその意味を記載する。したがって、本開示で使われる用語は単なる用語の名称ではなく、その用語が有する意味と本開示の全般にわたった内容に基づいて定義されるべきである。
【００１６】
明細書全体において、ある部分がある構成要素を「含む」とする時、これは特に反対の記載がない限り、他の構成要素を除くものではなく他の構成要素をさらに含み得ることを意味する。また、明細書に記載された「…部」、「…モジュール」等の用語は少なくとも一つの機能や動作を処理する単位を意味し、これはハードウェアまたはソフトウェアで具現されるかハードウェアとソフトウェアの結合で具現され得る。
【００１７】
明細書全体で記載された「ａ、ｂ、およびｃのうち少なくとも一つ」の表現は、「ａ単独」、「ｂ単独」、「ｃ単独」、「ａおよびｂ」、「ａおよびｃ」、「ｂおよびｃ」、または「ａ、ｂ、ｃすべて」を含むことができる。
【００１８】
以下で言及される「端末」は、ネットワークを通じてサーバーや他の端末に接続できるコンピュータや携帯用端末で具現され得る。ここで、コンピュータは例えば、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）等を含み、携帯用端末は例えば、携帯性と移動性が保障される無線通信装置であって、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）等の通信基盤端末、スマートフォン、タブレットＰＣなどのようなすべての種類のハンドヘルド（Ｈａｎｄｈｅｌｄ）基盤の無線通信装置を含むことができる。
【００１９】
以下、添付した図面を参照して本開示の実施形態について、本開示が属する技術分野で通常の知識を有する者が容易に実施できるように詳細に説明する。しかし、本開示は多様な異なる形態で具現され得、ここで説明する実施形態に限定されない。
【００２０】
以下、図面を参照して本開示の実施形態を詳細に説明する。
【００２１】
図１は、一実施形態に係る物品の情報を提供するシステムを示す。
【００２２】
図１を参照すると、物品の情報を提供するシステムは電子装置１００および端末２００を含むことができる。図１に図示されたシステムは本実施形態と関連した構成要素のみが図示されている。したがって、図１に図示された構成要素以外に他の汎用的な構成要素がさらに含まれ得ることを、本実施形態と関連した技術分野で通常の知識を有する者であれば理解できるであろう。
【００２３】
電子装置１００および端末２００はネットワーク内で互いに通信することができる。ネットワークは近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）、付加価値通信網（Ｖａｌｕｅ  Ａｄｄｅｄ  Ｎｅｔｗｏｒｋ；ＶＡＮ）、移動通信網（ｍｏｂｉｌｅ  ｒａｄｉｏ  ｃｏｍｍｕｎｉｃａｔｉｏｎ  ｎｅｔｗｏｒｋ）、衛星通信網およびこれらの相互の組み合わせを含み、各ネットワーク構成の主体が互いに円滑に通信できるようにする包括的な意味のデータ通信網であり、有線インターネット、無線インターネットおよびモバイル無線通信網を含むことができる。無線通信は例えば、無線ＬＡＮ（Ｗｉ−Ｆｉ）、ブルートゥース(登録商標)、ブルートゥース(登録商標)低エネルギー（Ｂｌｕｅｔｏｏｔｈ  ｌｏｗ  ｅｎｅｒｇｙ）、ジグビー、ＷＦＤ（Ｗｉ−Ｆｉ  Ｄｉｒｅｃｔ）、ＵＷＢ（ｕｌｔｒａ  ｗｉｄｅｂａｎｄ）、赤外線通信（ＩｒＤＡ、ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等があり得るが、これに限定されるものではない。
【００２４】
電子装置１００は物品関連情報を提供するシステムを運用することができる。具体的には、物品の情報を提供するシステムを活用する物流センターまたはフルフィルメントセンターでは複数の物品をトートに入れて管理し、それぞれのトートは同一のセルに位置してもよく、互いに異なるセルに位置してもよい。
【００２５】
このような場合、端末２００は物品の識別情報、トートの識別情報およびセルの識別情報のうち少なくとも一つを認識し、認識された識別情報に関する情報を電子装置１００に伝送することができる。その後、電子装置１００はトートに含まれた複数の物品に関する情報を確認し、それぞれのトートと対応するセルに対する情報とそれぞれのトートに含まれた物品に関する情報をマッピングすることができる。
【００２６】
また、電子装置１００は各セルにマッピングされた物品に関する情報のうち少なくとも一部を臨界値と比較し、比較結果に基づいて複数のセルに関する情報を使用者に提供することができる。また、電子装置１００は比較結果を端末２００に伝送することができる。
【００２７】
電子装置１００は在庫管理または物流センターに入庫された物品の状態をモニタリングするためのプラットホームを提供することができる。具体的には、電子装置１００は物品の状態および在庫管理のための情報を利用するためのアプリケーションを端末２００に提供することができる。物流センター内の作業者および管理者は端末２００を利用して物品の状態および在庫管理のための情報を確認することができる。例えば、電子装置１００は在庫管理または物流センターに入庫された物品の状態をモニタリングするサーバーに含まれ得る。
【００２８】
図２は、物品貯蔵空間の一例示であるフルフィルメントセンター（ＦＣ）２の概略図である。
【００２９】
フルフィルメントセンター２は、注文時に顧客に運送されるための物品を貯蔵する物理的位置の例であって、多数の区域に分割され得、これら区域それぞれは図２のように表現することができる。
【００３０】
インバウンド区域２０３は販売者から物品を受け取るＦＣ２の領域を表す。例えば、販売者はトラック２０１を使って物品２０２Ａおよび２０２Ｂを配送することができる。物品２０２Ａはそれ自体の運送パレットを占有するのに十分に大きな単一の物品を示し得、その反面、物品２０２Ｂは空間を節約するために同一のパレット上に共に積載された物品のセットを示し得る。
【００３１】
作業者はインバウンド区域２０３で物品を受け取り、物品の損傷および正確性に対してチェックすることができる。例えば、作業者は物品２０２Ａおよび２０２Ｂの数量を物品の注文数量と比較して数量がマッチングされると、（例えば、ドーリー（ｄｏｌｌｙ）、ハンドトラック、フォークリフト２０６を利用するか、手動で）これら物品をバッファ区域２０５に移動させることができる。バッファ区域２０５は、例えば、ピッキング区域２０９に予測された需要を充足させるのに非常に十分な数量の該当物品があるため、ピッキング区域２０９で現在必要でない物品に対する臨時貯蔵領域であり得る。
【００３２】
ドロップ区域２０７は、物品がピッキング区域２０９に移動する前に物品を貯蔵するＦＣ２の領域であり得る。ピッキング作業に割当された作業者は、ピッキング区域２０９で物品２０２Ａおよび２０２Ｂに接近し、ピッキング区域２０９に対する識別情報（例えば、バーコード）を認識し、モバイルデバイス（例えば、使用者端末）を使って物品２０２Ａおよび２０２Ｂと関連した識別情報を認識することができる。その後、作業者は物品をカートに入れたり運搬することによって物品をピッキング区域２０９に持ち運ぶことができる。
【００３３】
ピッキング区域２０９は物品２０８が貯蔵ユニット２１０上に貯蔵されるＦＣ２の領域であり得る。特に、本開示に係る使用者は、陳列空間の生成のために、ピッキングの計画に沿ってピッキング区域２０９内で物品を貯蔵ユニット２１０にピッキングして割当されたロケーションに位置するようにすることができる。一部の実施形態において、貯蔵ユニット２１０は物理的棚、ウォール（ｗａｌｌ）、セル（ｃｅｌｌ）、本棚、ボックス、トート（ｔｏｔｅ）、冷蔵庫、冷凍庫、冷蔵倉庫などのうち一つ以上を含むことができる。一部の実施形態において、ピッキング区域２０９は多数の階で構成され得る。また、一部の実施形態において、作業者または機械は、例えば、フォークリフト、エレベータ、コンベヤーベルト、カート、ハンドトラック、ドーリー、自動化されたロボットまたはデバイスを含む多様な方式で、または手動で物品をピッキング区域２０９に移動させることができる。
【００３４】
購入者が注文をすると、作業者は貯蔵ユニット２１０から一つ以上の物品２０８を検索し、物品２０８上の識別情報を認識して物品を輸送メカニズム２１４上に配置することができる。その後、物品２０８は輸送メカニズム２１４を通じて包装区域２１１に到着することができる。
【００３５】
包装区域２１１は、物品がピッキング区域２０９から受け取られて購入者に最終運送されるために、ボックスまたはバッグに包装されるパッケージに関するＦＣ２の領域であり得る。ハブ区域２１３は包装区域２１１からすべてのパッケージ２１８を受け取るＦＣ２の領域であり得る。ハブ区域２１３の作業者および／または機械は、パッケージ２１８を検索し、各パッケージが配送地域のうちいずれの部分に行こうと意図されるかを決定し、パッケージを適切なキャンプ区域２１５にルーティングすることができる。一部の実施形態において、作業者または機械はキャンプ区域２１５でパッケージの識別情報を認識してその最終目的地を決定することができる。例示的な図２において、キャンプ区域２１５はトラック２２２、自動車２２６および配送作業者２２４Ａおよび２２４Ｂを含む。
【００３６】
本開示は、ＦＣ２のピッキング区域２０９で主に行われるトートおよび／またはセル単位の物品のピッキング後の一連のプロセスと関連しているか、前記区域に限定されない。
【００３７】
図３は、物品が配置されたセルに関する情報を提供する第１実施形態を説明するための図面である。
【００３８】
一実施形態によると、電子装置１００は各セルにマッピングされた物品に関する情報に基づいて、複数のセルに関する情報を提供することができる。
【００３９】
一実施形態に係る電子装置１００は全体のセルの数と現在作業中であるセルの数を識別した後、これに基づいてセルの作業現況情報を使用者に提供することができる。例えば、電子装置１００はトートに入れられた一つ以上の物品がセルに位置することになる場合、該当セルを現在作業中であるセルと定義することができる。この時、電子装置１００はトート内に物品が配置されたことを示す信号を受信する時に該当物品とトートをマッピングさせることができる。また、電子装置１００は作業者がトートをセルに配置して該当トートの識別情報とセルの識別情報をスキャンすることに応答して、該当トートとセルをマッピングさせることができる。
【００４０】
また、電子装置１００は図３に図示された通り、全体のセルの数と作業中であるセルの数を表示し、作業中であるセルの比率を図式化して使用者に提供することができる。
【００４１】
また、電子装置１００は各セルにマッピングされた物品に関する情報のうち、予想出庫時間（ＥｘＳＤ、Ｅｘｐｅｃｔｅｄ  Ｓｈｉｐｐｉｎｇ  Ｄａｔｅ）に基づいて予想出庫時間が差し迫った物品を識別することができる。例えば、電子装置１００は予想出庫時間がすでに過ぎた物品、予想出庫時間までの残り時間が３０分未満の物品および予想出庫時間までの残り時間が３０分以上１時間未満の物品を識別することができる。また、電子装置１００は識別結果に基づいて、各物品にマッピングされたセルの数を識別することができる。例えば、予想出庫時間までの残り時間が３０分未満の物品が２つ存在する場合、電子装置１００は該当物品にマッピングされたセルの数を識別した後、その結果を使用者に提供することができる。もし、予想出庫時間までの残り時間が３０分未満の２個の物品が一つのセルにマッピングされている場合、電子装置１００は該当物品にマッピングされたセルの数を１に決定することができる。
【００４２】
この時、電子装置１００はセルに関する情報を互いに異なる表現方式で表現することができる。例えば、電子装置１００は予想出庫時間がすでに過ぎた物品が含まれたセルの個数に関する情報は赤色で表示し、予想出庫時間までの残り時間が３０分未満の物品が含まれたセルの個数に関する情報は青色で表示することができる。
【００４３】
一方、図３で予想出庫時間まで残った時間と比較される臨界値として、３０分、１時間などが図示されたが、臨界値はこれに制限されず、システム設計要求事項により変更され得ることは当該技術分野の通常の技術者に自明である。
【００４４】
また、電子装置１００はセルにマッピングされた物品に対する作業が臨界値以上なされていない場合、このようなセルの和に関する情報を使用者に提供することができる。図３を参照すると、電子装置１００はセルにマッピングされた物品に対する最終スキャン履歴が１時間を超過するセルの数３１０を提供することができる。このようなセルに関する情報を通じて、使用者は物流センターまたはＦＣ２内の作業現況をモニタリングすることができ、長い時間の間作業がなされていないセルに対して追加の措置を取ることができる。
【００４５】
図４は、物品が配置されたセルに関する情報を提供する第２実施形態を説明するための図面である。
【００４６】
一実施形態によると、電子装置１００はウォール（ｗａｌｌ）の位置情報およびウォールの作業状態を使用者に提供することができる。ここで、ウォールは複数のセルを含む単位であって、各キャンプと対応する単位として定義され得る。
【００４７】
例えば、電子装置１００は各ウォールを位置によって分類した後、それぞれの位置に配置されたウォールの総和、作業中であるウォールの数、可用なウォールの数を表示することができる。
【００４８】
また、電子装置１００は各ウォールに含まれたセルの数、作業中であるセルの数を表示し、各セルにマッピングされた物品に関する情報のうち、予想出庫時間に基づいて予想出庫時間が差し迫った物品を含むセルの数を使用者に提供することができる。
【００４９】
図４を参照すると、１階に配置されたウォールの数は総１２個であり、このうち作業中であるウォールは２個である。また、１階のウォールに含まれたすべてのセルの数は２７６個であることを確認することができる。このようなウォールおよびセルに関する情報を通じて、使用者は物流センター内の各ウォールの作業現況をモニタリングすることができる。
【００５０】
図５は、物品が配置されたセルに関する情報を提供する第３実施形態を説明するための図面である。
【００５１】
一実施形態によると、電子装置１００は各セルの識別情報、各セルにマッピングされたトートに関する情報などを提供することができる。
【００５２】
図５を参照すると、Ａ０１〜Ａ０９はセルの識別情報と定義され得る。また、第２セルＡ０２と対応するトートのトート識別情報（１４−ＲＣＲＴ０−３−２１９）を第２セルの識別情報Ａ０２とともに表示し、トート識別情報（１４−ＲＣＲＴ０−３−２１９）に対する使用者入力を受信することができる。トート識別情報（例えば、１４−ＲＣＲＴ０−３８−３７３）に対する使用者入力が受信される場合、使用者に提供される情報は図６で詳しく説明することにする。
【００５３】
一方、電子装置１００は各セルにマッピングされた物品の予想出庫時間のうち、最も差し迫った予想出庫時間を各セルにマッピングして使用者に提供することができる。
【００５４】
また、電子装置１００は複数のセルにマッピングされた複数の物品の予想出庫時間を順序化して提供することができる。図５を参照すると、電子装置１００は第２セルＡ０２〜第１１セルＡ１１と対応する各トートのトート識別情報を提供することができる。そして、図５の５１０に図示された通り、第２セルＡ０２〜第１１セルＡ１１にマッピングされた物品の予想出庫時間のうち、予想出庫時間が差し迫った２個の物品の予想出庫時間を配置識別情報とともに提供することができる。
【００５５】
一方、電子装置１００は各セルと関連した配置情報を提供することができるが、配置は物品をピッキングする単位と定義され得る。換言すると、複数の物品はバッチ単位でピッキングされ得る。この時、ピッキングの便宜を考慮して物品がバッチ別に分類されるため、ピッキング後の出庫などのプロセスを遂行する時には、バッチ単位でプロセスが遂行されると作業の便宜性が低下する可能性がある。したがって、本開示を利用する物流センターまたはＦＣ２ではトート単位で物品に対する作業が進行され得る。
【００５６】
また、電子装置１００が各セルと対応するトートに関する情報およびトートに含まれた物品に関する情報のうち少なくとも一つが受信された以降からの時間（ｉｄｌｅ  ｔｉｍｅ）を使用者に提供することによって、使用者は長い時間の間作業がなされていないセルを識別にきるようにする。
【００５７】
図６は、トートに含まれた物品に関する情報を提供する第４実施形態を説明するための図面である。
【００５８】
一実施形態に係る電子装置１００は、トートの識別情報に対する使用者入力に基づいて該当トートに含まれた物品に関する情報を提供することができる。
【００５９】
例えば、図５の第１セルＡ０１に対応する第１トートの識別情報（１４−ＲＣＲＴ０−３８−３７３）に対して、使用者の入力が受け取られる場合、電子装置１００は図６に図示された情報を提供することができる。具体的には、電子装置１００は物品の識別情報、種類、大きさ、到着地の情報などを提供することができるが、電子装置１００により提供される物品に関する情報はこれに制限されない。
【００６０】
図７は、一実施形態に係る電子装置で物品が配置されたセルに関する情報提供方法を説明するためのフローチャートである。
【００６１】
段階Ｓ７１０で、電子装置１００は少なくとも一つのトートに関する第１情報を獲得することができる。ここで、第１情報はトートの識別情報を含むことができるが、これに制限されない。
【００６２】
段階Ｓ７２０で、少なくとも一つのトートのそれぞれに含まれた少なくとも一部の複数の物品に関する第２情報を確認することができる。ここで、第２情報は物品の識別情報を含むことができるが、これに制限されない。
【００６３】
段階Ｓ７３０で、電子装置１００は第１情報および第２情報に基づいて少なくとも一つのトートそれぞれと対応する各セルに対する情報と少なくとも一つのトートのそれぞれに位置した物品の情報のうち少なくとも一部をマッピングすることができる。
【００６４】
段階Ｓ７４０で、電子装置１００は各セルにマッピングされた物品に関する情報のうち少なくとも一部を臨界値と比較することができる。
【００６５】
段階Ｓ７５０で、電子装置１００は比較結果に基づいて複数のセルに関する情報を提供することができる。
【００６６】
一方、段階Ｓ７４０は各セルにマッピングされた物品の予想出庫時間まで残った時間と第１臨界値を比較する段階を含むことができ、このような場合、段階Ｓ７５０は予想出庫時間までの残り時間が前記第１臨界値未満の物品にマッピングされたセルの個数を提供する段階を含むことができる。
【００６７】
ここで、段階Ｓ７４０は各セルにマッピングされた物品の予想出庫時間まで残った時間と第２臨界値を比較する段階をさらに含むことができ、このような場合、段階Ｓ７５０は予想出庫時間までの残り時間が第１臨界値より多く、かつ第２臨界値より小さい物品にマッピングされたセルの個数と予想出庫時間までの残り時間が第１臨界値未満の物品にマッピングされたセルの個数を異なる表現方式で提供する段階をさらに含むことができる。
【００６８】
この時、異なる表現方式は異なる色相のテキスト、異なるアラーム音、ちらつきの有無、異なる色相の背景のうち少なくとも一つを含むことができるが、異なる表現方式はこれに制限されない。
【００６９】
一方、予想出庫時間までの残り時間が第１臨界値未満の互いに異なる物品にマッピングされたセルが同一の場合、提供されるセルの個数は１が増加するものであり得る。
【００７０】
一方、段階Ｓ７５０は各セルにマッピングされた物品の予想出庫時間のうち、最も差し迫った予想出庫時間に関する情報を提供する段階をさらに含むことができる。
【００７１】
また、本開示の方法は、各セルと対応するトートの識別情報を提供する段階およびトートの識別情報に対応する使用者入力に基づいてトートに含まれた物品に関する情報のうち少なくとも一部を提供する段階をさらに含むことができる。
【００７２】
この時、トートに含まれた物品に関する情報のうち少なくとも一部は、物品の識別情報、種類、大きさ、到着地に関する情報のうち少なくとも一つであり得る。
【００７３】
また、本開示の方法は、第１セルに対応する第１トートに対する作業が完了したことを示す情報を受信する段階および第１セルと対応するトートを第１トートの代わりに第２トートにアップデートする段階をさらに含むことができる。
【００７４】
一方、段階Ｓ７５０は第１情報が獲得された時間および前記第２情報が確認された時間のうち少なくとも一つ以降からの経過時間に関する情報を提供する段階をさらに含むことができる。この時、第１トートに関する情報が受信された時間後に、第３臨界値を超過して時間が経過した場合、第１トートの識別情報、第１トートにマッピングされたセルの識別情報および前記第１トートにマッピングされたセルの位置情報のうち少なくとも一つを端末に伝送する段階をさらに含むことができる。
【００７５】
一方、段階Ｓ７５０は各セルにマッピングされた物品の作業処理結果に基づいて決定された各セルの状態情報によって、複数のセルに関する情報を提供する段階を含むことができる。この時、複数のセルに関する情報は、作業が進行中であるセルの個数、全体のセルの個数、前記全体のセルの位置情報および前記複数のセルの作業所要時間の平均値のうち少なくとも一つを含むことができる。
【００７６】
また、本開示の方法は、複数のセルを含むウォール（ｗａｌｌ）に関する情報を提供する段階をさらに含むことができ、この時、前記ウォールに関する情報は総ウォールの個数、前記総ウォールの位置、作業が進行中であるウォールの個数および現在可用なウォールの個数のうち少なくとも一つを含むことができる。
【００７７】
図８は、他の一実施形態に係る電子装置で物品が配置されたセルに関する情報提供方法を説明するためのフローチャートである。
【００７８】
段階Ｓ８１０で、電子装置１００は物品の予想出庫時間までの残り時間が第１臨界値未満であるかどうかを判断することができる。もし、物品の予想出庫時間までの残り時間が第１臨界値未満であれば段階Ｓ８２０が遂行され、そうでなければ段階Ｓ８３０が遂行され得る。例えば、第１臨界値は３０分であり得るが、第１臨界値はこれに制限されない。
【００７９】
段階Ｓ８２０で、電子装置１００は物品にマッピングされたセルの個数を第１色相のテキスト形態で提供することができる。例えば、電子装置１００は予想出庫時間までの残り時間が第１臨界値未満の物品、換言すると、予想出庫時間が第１臨界値よりさらに差し迫った物品にマッピングされたセルの個数を赤色のテキスト形態で使用者に提供することができる。ここで、第１色相は赤色であることを前提としたが、第１色相はこれに制限されない。
【００８０】
段階Ｓ８３０で、電子装置１００は物品の予想出庫時間までの残り時間が第２臨界値未満であるかどうかを判断することができる。もし、物品の予想出庫時間までの残り時間が第２臨界値未満であれば、段階Ｓ８４０が遂行され得る。ここで第２臨界値は第１臨界値より大きい値であり、例えば、第２臨界値は１時間であり得るが、第２臨界値の数値はこれに制限されない。
【００８１】
段階Ｓ８４０で、電子装置１００は物品にマッピングされたセルの個数を第２色相のテキスト形態で提供することができる。例えば、電子装置１００は予想出庫時間までの残り時間が第１臨界値を超過して第２臨界値未満の物品、換言すると、予想出庫時間が第１臨界値を超過するが、第２臨界値よりさらに差し迫った物品にマッピングされたセルの個数を青色のテキスト形態で使用者に提供することができる。ここで、第２色相は青色であることを前提としたが、第２色相はこれに制限されない。
【００８２】
図９は、端末が物品に関する情報を提供する一実施形態を説明するための図面である。
【００８３】
一実施形態によると、電子装置１００は一度認識されたトートに対する作業進行に関する情報を受信した後、一定時間の間該当トートに対する作業がなされないと管理者端末９００に該当トートに対応するセルに関する情報を提供することができる。
【００８４】
図９を参照すると、電子装置１００はＡ０３セルに含まれたトート単位の物品に関する情報を受信した後、６分の間作業進行に関する情報が受信されなかったことを管理者端末９００に提供することができる。この時、電子装置１００はセルの位置情報を共に端末に提供することができ、この他にも管理者がセルの作業現況を把握できること、追加の措置を遂行するために必要な情報を端末９００にさらに提供できることは、当該技術分野の通常の技術者に自明である。
【００８５】
図１０は、一実施形態に係る電子装置のブロック図を示す。
【００８６】
電子装置１０００は一実施形態により、メモリ（ｍｅｍｏｒｙ）１０１０およびプロセッサ（ｐｒｏｃｅｓｓｏｒ）１０２０を含むことができる。図１０に図示された電子装置１０００は本実施形態と関連した構成要素のみが図示されている。したがって、図１０に図示された構成要素以外に他の汎用的な構成要素がさらに含まれ得ることを、本実施形態と関連した技術分野で通常の知識を有する者であれば理解できるであろう。電子装置１０００は電子装置１００に関する内容を含むことができるところ、重複する内容については説明を省略する。
【００８７】
メモリ１０１０は電子装置１０００内で処理される各種データを保存するハードウェアであって、例えば、メモリ１０１０は電子装置１０００で処理されたデータおよび処理されるデータを保存することができる。メモリ１０１０はプロセッサ１０２０の動作のための少なくとも一つの命令語（ｉｎｓｔｒｕｃｔｉｏｎ）を保存することができる。また、メモリ１０１０は電子装置１０００により駆動されるプログラムまたはアプリケーションなどを保存することができる。メモリ１０１０はＤＲＡＭ（ｄｙｎａｍｉｃ  ｒａｎｄｏｍ  ａｃｃｅｓｓ  ｍｅｍｏｒｙ）、ＳＲＡＭ（ｓｔａｔｉｃ  ｒａｎｄｏｍ  ａｃｃｅｓｓ  ｍｅｍｏｒｙ）等のようなＲＡＭ（ｒａｎｄｏｍ  ａｃｃｅｓｓ  ｍｅｍｏｒｙ）、ＲＯＭ（ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）、ＣＤ−ＲＯＭ、ブルーレイまたは他の光学ディスクストレージ、ＨＤＤ（ｈａｒｄ  ｄｉｓｋ  ｄｒｉｖｅ）、ＳＳＤ（ｓｏｌｉｄ  ｓｔａｔｅ  ｄｒｉｖｅ）、またはフラッシュメモリを含むことができる。
【００８８】
プロセッサ１０２０は電子装置１０００全般の動作を制御してデータおよび信号を処理することができる。プロセッサ１０２０はメモリ１０１０に保存された少なくとも一つの命令語または少なくとも一つのプログラムを実行することによって、電子装置１０００を全般的に制御することができる。プロセッサ１０２０はＣＰＵ（ｃｅｎｔｒａｌ  ｐｒｏｃｅｓｓｉｎｇ  ｕｎｉｔ）、ＧＰＵ（ｇｒａｐｈｉｃｓ  ｐｒｏｃｅｓｓｉｎｇ  ｕｎｉｔ）、ＡＰ（ａｐｐｌｉｃａｔｉｏｎ  ｐｒｏｃｅｓｓｏｒ）等で具現され得るが、これに制限されない。
【００８９】
プロセッサ１０２０は複数の物品に関する情報をトート単位で受信し、前記受信された物品に関する情報を前記トート単位で各セルにマッピングし、前記各セルにマッピングされた物品に関する情報のうち少なくとも一部を臨界値と比較し、前記比較結果に基づいて複数のセルに関する情報を提供することができる。
【００９０】
また、プロセッサ１０２０は各セルにマッピングされた物品の予想出庫時間まで残った時間と第１臨界値を比較し、このような場合、予想出庫時間までの残り時間が前記第１臨界値未満の物品にマッピングされたセルの個数を提供することができる。
【００９１】
一方、予想出庫時間までの残り時間が第１臨界値未満の互いに異なる物品にマッピングされたセルが同一の場合、プロセッサ１０２０により提供されるセルの個数は１が増加するものであり得る。
【００９２】
ここで、プロセッサ１０２０は各セルにマッピングされた物品の予想出庫時間まで残った時間と第２臨界値をさらに比較することができ、このような場合、予想出庫時間までの残り時間が第１臨界値を超過して第２臨界値未満の物品にマッピングされたセルの個数と予想出庫時間までの残り時間が第１臨界値未満の物品にマッピングされたセルの個数を異なる表現方式で提供することができる。
【００９３】
この時、異なる表現方式は異なる色相のテキスト、異なるアラーム音、ちらつきの有無、異なる色相の背景のうち少なくとも一つを含むことができるが、異なる表現方式はこれに制限されない。
【００９４】
一方、プロセッサ１０２０は各セルにマッピングされた物品の予想出庫時間のうち、最も差し迫った予想出庫時間に関する情報を提供することができる。
【００９５】
また、プロセッサ１０２０は各セルと対応するトートの識別情報を提供し、トートの識別情報に対応する使用者入力に基づいて、トートに含まれた物品に関する情報のうち少なくとも一部を提供することができる。
【００９６】
この時、トートに含まれた物品に関する情報のうち少なくとも一部は、物品の識別情報、種類、大きさ、到着地に関する情報のうち少なくとも一つであり得る。
【００９７】
一方、プロセッサ１０２０は第１セルに対応する第１トートに対する作業が完了したことを示す情報を受信し、第１セルと対応するトートを第１トートの代わりに第２トートにアップデートすることができる。
【００９８】
一方、プロセッサ１０２０は第１情報が獲得された時間および前記第２情報が確認された時間のうち少なくとも一つ以降からの経過時間に関する情報を提供することができる。この時、第１トートに関する情報が受信された時間後に、第３臨界値を超過して時間が経過した場合、第１トートの識別情報、第１トートにマッピングされたセルの識別情報および前記第１トートにマッピングされたセルの位置情報のうち少なくとも一つを端末に伝送することができる。
【００９９】
また、プロセッサ１０２０は各セルにマッピングされた物品の作業処理結果に基づいて決定された各セルの状態情報によって、複数のセルに関する情報を提供することができる。この時、複数のセルに関する情報は、作業が進行中であるセルの個数、全体のセルの個数、前記全体のセルの位置情報および前記複数のセルの作業所要時間の平均値のうち少なくとも一つを含むことができる。
【０１００】
また、プロセッサ１０２０は複数のセルを含むウォール（ｗａｌｌ）に関する情報を提供することができ、この時、前記ウォールに関する情報は総ウォールの個数、前記総ウォールの位置、作業が進行中であるウォールの個数および現在可用なウォールの個数のうち少なくとも一つを含むことができる。
【０１０１】
図１１は、端末の動作方法を説明するためのフローチャートである。
【０１０２】
段階Ｓ１１１０で、端末２００はトートの識別情報を認識することによって、トート単位の複数の物品に関する情報を受信することができる。例えば、端末２００はイメージセンサを含むことができるところ、端末２００のイメージセンサを通じてトートの識別情報を獲得することができる。また、端末２００は制御部を含むことができるところ、端末２００の制御部はイメージセンサを制御してトートの識別情報を獲得することができる。また、端末２００はトートの識別情報に基づいて、該当トートに含まれた物品に関する情報を獲得することができる。
【０１０３】
段階Ｓ１１２０で、端末２００はトート単位の複数の物品が配置されるセルの識別情報を認識することができる。この時、端末２００の制御部はイメージセンサを制御してセルの識別情報を獲得することができる。
【０１０４】
段階Ｓ１１３０で、端末２００はトート単位の複数の物品に関する情報およびセルの識別情報をサーバーに伝送することができる。端末２００は通信デバイスを含むことができるところ、通信デバイスを通じてセルに関する情報とトート単位の複数の物品に関する情報を外部電子装置に伝送することができる。
【０１０５】
段階Ｓ１１４０で、端末２００はサーバーから複数のセルに関する情報が受信されると、受信した情報を提供することができる。一実施形態により、端末２００はディスプレイを含むことができるところ、ディスプレイを通じて複数のセルに関する情報を表示することができる。また、端末２００は制御部を含むことができるところ、端末２００の制御部はディスプレイまたは通信デバイスを制御して複数のセルに関する情報を提供することができる。
【０１０６】
前述した実施形態に係る電子装置または端末は、プロセッサ、プログラムデータを保存し実行するメモリ、ディスクドライブのような永久保存部（ｐｅｒｍａｎｅｎｔ  ｓｔｏｒａｇｅ）、外部装置と通信する通信ポート、タッチパネル、キー（ｋｅｙ）、ボタンなどのような使用者インターフェース装置などを含むことができる。ソフトウェアモジュールまたはアルゴリズムで具現される方法は、前記プロセッサ上で実行可能なコンピュータ読み取り可能なコードまたはプログラム命令であって、コンピュータ読み取り可能な記録媒体上に保存され得る。ここでコンピュータ読み取り可能な記録媒体として、マグネチック保存媒体（例えば、ＲＯＭ（ｒｅａｄ−ｏｎｌｙ  ｍｅｍｏｒｙ）、ＲＡＭ（ｒａｎｄｏｍ−Ａｃｃｅｓｓ  ｍｅｍｏｒｙ）、フロッピーディスク、ハードディスクなど）および光学的読み取り媒体（例えば、シーディーロム（ＣＤ−ＲＯＭ）、ディーブイディー（ＤＶＤ：Ｄｉｇｉｔａｌ  Ｖｅｒｓａｔｉｌｅ  Ｄｉｓｃ））等がある。コンピュータ読み取り可能な記録媒体はネットワークに連結されたコンピュータシステムに分散され、分散方式でコンピュータが読み取り可能なコードが保存され実行され得る。媒体はコンピュータによって読み取り可能であり、メモリに保存され、プロセッサで実行され得る。
【０１０７】
本実施形態は機能的なブロック構成および多様な処理段階で示され得る。このような機能ブロックは特定機能を遂行する多様な個数のハードウェアまたは／およびソフトウェア構成で具現され得る。例えば、実施形態は一つ以上のマイクロ・プロセッサの制御または他の制御装置によって多様な機能を遂行できる、メモリ、プロセッシング、ロジック（ｌｏｇｉｃ）、ルックアップテーブル（ｌｏｏｋ−ｕｐ  ｔａｂｌｅ）等のような直接回路構成を採用することができる。構成要素がソフトウェアプログラミングまたはソフトウェア要素で実行され得るのと同様に、本実施形態はデータ構造、プロセス、ルーチンまたは他のプログラミング構成の組み合わせで具現される多様なアルゴリズムを含み、Ｃ、Ｃ＋＋、ジャヴァ（Ｊａｖａ）、アセンブラ（ａｓｓｅｍｂｌｅｒ）等のようなプログラミングまたはスクリプト言語で具現され得る。機能的な側面は一つ以上のプロセッサで実行されるアルゴリズムで具現され得る。また、本実施形態は電子的な環境設定、信号処理、および／またはデータ処理などのために従来技術を採用することができる。「メカニズム」、「要素」、「手段」、「構成」のような用語は広く使われ得、機械的で物理的な構成で限定されるものではない。前記用語はプロセッサなどと連係してソフトウェアの一連の処理（ｒｏｕｔｉｎｅｓ）の意味を含むことができる。
【０１０８】
前述した実施形態は一例示に過ぎず、後述する請求項の範囲内で他の実施形態が具現され得る。
【要約】
【課題】物流センターで物品が位置するセルに関する情報を提供するための電子装置およびその物品関連情報提供方法が開示される。
【解決手段】本開示は、複数の物品に関する情報を受信し、受信された物品に関する情報と各セルをマッピングし、各セルにマッピングされた物品に関する情報のうち少なくとも一部を臨界値と比較し、比較結果に基づいて複数のセルに関する情報を提供する方法および電子装置に関する。
【選択図】図７【図１】
0006957774.tif 000002
【図２】
0006957774.tif 000003
【図３】
0006957774.tif 000004
【図４】
0006957774.tif 000005
【図５】
0006957774.tif 000006
【図６】
0006957774.tif 000007
【図７】
0006957774.tif 000008
【図８】
0006957774.tif 000009
【図９】
0006957774.tif 000010
【図１０】
0006957774.tif 000011
【図１１】
0006957774.tif 000012